(57)【要約】【課題】消しゴムの角部分を比較的制限が少ない状態で多く使用できるようにすることを課題とする。【解決手段】消しゴムリングと消しゴムホルダーとから構成し、消しゴムリングは、リング状の懸架体の外周面に、外周方向に沿って、少なくとも１以上の外側に存する角部分を有する消しゴムからなる小消しゴム体を複数設け、一方、消しゴムホルダーは、前記消しゴムリングの前記懸架体を懸架して保持する２のプーリーと、前記各プーリーの回転軸を固定する枠体とから構成する。【選択図】  図１
2010083100.tif 000002
【特許請求の範囲】
【請求項１】
リング状の懸架体の外周面に、外周方向に沿って、少なくとも１以上の外側に存する角部分を有する消しゴムからなる小消しゴム体を複数設けた消しゴムリングと、
前記消しゴムリングの前記懸架体を懸架して保持する２のプーリーと、前記各プーリーの回転軸を固定する枠体とから構成される消しゴムホルダーと
からなる消しゴム。
【請求項２】
前記消しゴムホルダーは、前記枠体に外部から使用者が回転させることができる回転部材が設けられるとともに、前記回転部材の回転と前記少なくとも１のプーリーの回転とが連動するように形成されるものである
請求項１に記載の消しゴム。
【請求項３】
前記小消しゴム体の角部は直方体の一面側に形成される４つの角部と同一形状である請求項１又は２に記載の消しゴム。
【請求項４】
前記消しゴムリングの懸架体は消しゴムにより形成され、前記小消しゴム体と一体に成型されるものである請求項１から３のいずれか１項に記載の消しゴム。
【請求項５】
請求項１又は２に記載の消しゴムホルダー。
【請求項６】
請求項１、３、４のいずれか１項に記載の消しゴムリング。
【発明の詳細な説明】
【技術分野】
【０００１】
本発明は、ホルダーと一体に形成される消しゴムに関し、特に、多数の角部分を使用することができるものに関する。
【背景技術】
【０００２】
消しゴムによって、細かな部分を消すには、直方体状の消しゴムでは、角部部分を使用するとよいが、直方体状の消しゴムでは角部分は８つしかなく、使用は限定的にならざるを得ない。これを解決するものとして、下記特許文献２には、消しゴムを所定形状の外方に突出した角を有する形状をなす立体を複数組み合わせた形状とすることが示されている。これにより一つの消しゴムに多くの角部分を形成することができる。
また、下記特許文献１には、リング状のベースフィルムにペレット状の消しゴムを複数固定したものを押し出し針とプーリーとにより懸架し、ベースフィルムを回転させて消しゴム部分を押し出し針により押すことで、消しゴムを先鋭に変形させるものが示されている。
【特許文献１】特開平１０−８６５９４号公報
【特許文献２】特開２００４−３４６２４号公報
【発明の開示】
【発明が解決しようとする課題】
【０００３】
ところで、特許文献２に記載の発明は、確かに角部分を増やすことができるが、実際には角部分がいずれかの立体により邪魔されている部分が多くあり、このような部分では邪魔をしている立体部分を使用しきらないと邪魔されている角部分は使用できない。一方、特許文献１に記載の発明は、消しゴムはベースフィルムを回すことで、新しい消しゴム部分が表れ、これを変形させることで先鋭なものとするので、使用に制限はない。
しかし、特許文献１に記載の方法では、消しゴムを変形させるので伸縮性が小さい消しゴムは破損し、また、消しゴム表面に少しの傷があっても消しゴムがその部分から割れてしまうこととなる。消しゴムの角を利用する場合はこのような問題は生じない。
本発明は、このような問題に鑑みて、消しゴムの角部分を比較的制限が少ない状態で多く使用できるようにすることを課題とする。
【課題を解決するための手段】
【０００４】
上記課題を解決するために、本発明は次のような構成を有する。
請求項１に記載の発明は、消しゴムリングと消しゴムホルダーとから構成されるものであり、消しゴムリングは、リング状の懸架体の外周面に、外周方向に沿って、少なくとも１以上の外側に存する角部分を有する消しゴムからなる小消しゴム体を複数設けたものである。そして、消しゴムホルダーは、前記消しゴムリングの前記懸架体を懸架して保持する２のプーリーと、前記各プーリーの回転軸を固定する枠体とから構成される。なお、ここでプーリーは３以上設けることを妨げるものではない。
請求項２に記載の発明は、前記消しゴムにおいて、前記消しゴムホルダーは、前記枠体に外部から使用者が回転させることができる回転部材が設けられるとともに、前記回転部材の回転と前記少なくとも１のプーリーの回転とが連動するように形成されるものである。なお、回転部材とプーリーとの連動は、歯車機構やチェーン機構、ベルト機構、カム機構、プーリーと回転部材を同軸で連結する構造等、種々の構造が採用できる。
請求項３に記載の発明は、前記消しゴムにおいて、前記小消しゴム体の角部を直方体の一面側に形成される４つの角部と同一形状としたものである。
請求項４に記載の発明は、前記消しゴムにおいて、前記消しゴムの前記懸架体は消しゴムにより形成され、前記小消しゴム体と一体に成型されるものである。
請求項５に記載の発明は、請求項１又は２に記載の消しゴムホルダーである。
請求項６に記載の発明は、請求項１、３、４のいずれか１項に記載の消しゴムリングである。
【発明の効果】
【０００５】
請求項１に記載の発明は、外周面に複数の消しゴムの角部が配列された消しゴムリングをプーリーで懸架して、枠体で保持することで、プーリーの円弧に沿った位置に小消しゴム体を位置づけると小消しゴム体の角部が両側の小消しゴム体に対して突出するので、この突出した角部分の消しゴムを使用することができる。そして、消しゴムリングをプーリーによって回転させることで小消しゴム体を順次移動させることができるので、ほとんど制限なくすべての消しゴムの角部を使用することができる。
請求項２に記載の発明は、回転部材を回転させるとプーリーが回転して小消しゴム体を移動させることができるので、破損しやすい小消しゴム体を直接触って消しゴムリングを回転させる必要をなくすことができる。
請求項３に記載の発明は、小消しゴム体の角部を直方体の一面に形成される４つの角部と同一形状とすることで、角部の強度を保ちながら比較的多くの角部をほとんど制限なく使用できるようにすることができる。
請求項４に記載の発明は、懸架体と小消しゴム体とを一体の消しゴムとして成型すること消しゴムリングの製造工程を簡易にすることができる。
請求項５に記載の発明は、上記の消しゴムリングの小消しゴム体を使い切った後でも、消しゴムリングを交換することにより、再び消しゴムとして使用をすることができる。
請求項６に記載の発明は、請求項５に記載のホルダーに固定することで、上記消しゴムを構成することができる。さらに、消しゴムリングのみでも、一の小消しゴム体を突出させるように持つことで角部を突出させることで消しゴムの角部をほぼ制限なく使用することができる。また、懸架体と小消しゴム体とを一体の消しゴムとして形成した場合は、角部がなくなっても全体を通常の消しゴムとして使用することができる。
【発明を実施するための最良の形態】
【０００６】
以下、本発明の実施の形態について、図面を参照しながら説明する。
（実施形態１）
図１（ａ）に実施形態１に係る消しゴムＸの斜視図を示し、図１（ｂ）に消しゴムＸの機構部分の斜視図を示し、図２に消しゴムＸの枠体ケース４０を開いた状態を示す正面図を示す。消しゴムＸは、消しゴムリング１０、プーリー２１〜２４、伝達歯車３１・３２、枠体ケース４０とから構成される。
消しゴムリング１０は、扁平なゴムをリング状に成型した懸架体を構成するゴムリング１２に、立方体形状の消しゴムにより形成される小消しゴム体１１をゴムリング１２の外周面に外周方向に沿って一定間隔で接着固定したものである。
プーリー２１〜２４は、円筒体の両底面のフランジが設けられ、両底面の中央に円筒状の回転軸２１ａ〜２４ａが突出した形状をしている。これらのプーリー２１〜２４に消しゴムリング１０が懸架される。後端側のプーリー２２は使用者が回動させるプーリーであるので伝達力を大きくするために外径が大きくなっており、さらに、プーリーの外周面に軸方向に平行な線状の突起を複数配列することでゴムリング１２に対する摩擦力を大きくしている。先端側のプーリー２１は小消しゴム体１１が突出しやすいように比較的小さな外径を有している。また、残り上下に設けられるプーリー２３、２４は消しゴムリング１０の懸架時の形状を決めるために設けられるものであって、比較的小さな外径を有している。
【０００７】
伝達歯車３１、３２は、互いに噛みあい回動を伝達する平歯車である。伝達歯車３１は回転部材として使用者が操作するものであり、中央両面に円筒状の回転軸３１ａが固定されている。伝達歯車３２はプーリー２３の一方の底面側に一体に形成される。これにより、伝達歯車３１を回転させると伝達歯車３２と一体に形成されるプーリー２３を回転させることができる。
枠体ケース４０は、プーリー２１〜２４、伝達歯車３１、３２を回動可能に保持固定する枠である。枠体ケース４０は、合成樹脂性の略卵型の板体を向かい合わせ、各板体縁部同士を帯状の板体で連結した形状をしている。そして、この帯状の板体に沿った線で２分され、下部のヒンジ部４３を介して図２に示すように開くようになっている。また、それぞれの略卵型の板体の内側の所定位置には円筒状の軸受け４４〜４８が対向する位置に設けられ、これらにより、プーリー２１〜２４、伝達歯車３１の回転軸２１ａ〜２４ａ、３１ａが回動可能に保持されるようになっている。さらに、帯状の板体の上部には切り欠きからなる上部開放部４２が設けられ、この上部開放部４２から伝達歯車３１の一部が表出するようになっている。また、帯状の板体の先端部にも切り欠きからなる先端開放部４１が設けられ、この先端開放部４１からプーリー２１の先端側に保持される消しゴムリング１０の小消しゴム体１１が表出するようになっている。
【０００８】
次に、以上のような構成を有する消しゴムＸの使用方法について説明する。使用者は伝達歯車３１を操作して一つの小消しゴム体１１を先端開放部４１から突出するように位置づける。この状態で、小消しゴム体１１には４つの角部が存するので、一つの角部を用いて文字等を消す。使用により角部がなくなれば、伝達歯車３１を回して別の小消しゴム体１１を先端開放部４１から突出するように位置づけて同様にして使用する。このような構成により、消しゴムリング１０に設けられている小消しゴム体１１のすべての角部を制限なく使用することができる。その後、すべての小消しゴム体の角部がなくなれば、図２に示すように枠体ケース４０を開いて、消しゴムリング１０を取り外し、新たな消しゴムリング１０を装着して枠体ケース４０を閉じることで、何度でも使用することができる。
【０００９】
（実施形態２）
図３に、実施形態２に係る消しゴムＹの斜視図を示す。消しゴムＹは、実施形態１で用いたのと同じ構造を有する消しゴムリング１０と、枠体５０と、図示しないプーリーとから構成される。枠体５０は、細長い２枚の板体を向かい合わせた形状をしており、先端側および後端側のそれぞれの内側に消しゴムリング１０を懸架保持するプーリーが回動可能に固定されている。ここでは、プーリーの回転軸が枠体５０を構成する２枚の板体に固定されることで、各板体同士が固定され、プーリーは中心の穴でこの回転軸に回動可能に保持されている。
このような構成を有する消しゴムＹの使用方法を説明する。使用者は、消しゴムリング１０を一方向にスライドさせるように力を加えることで、消しゴムリングを回し、一つの小消しゴム体１１が先端で突出するように位置づける。この状態で、角部を用いて文字等を消す。そして、角部が丸まったら、再び消しゴムリング１０を回転させて別の小消しゴム体１１を枠体５０の先端に位置づける。このような構成によっても、消しゴムリング１０に固定されているすべての小消しゴム体１１の角部を制限なく使用することができる。そして、消しゴムリング１０を交換することで、際限なく小消しゴム体１１の角部を使用することができる。
【００１０】
なお、上記実施の形態では、消しゴムリング１０を小消しゴム体１１と懸架体を構成するゴムリング１２とを別の素材により形成したが、図４（ａ）に示す消しゴムリング１０Ａのように懸架体１２Ａも消しゴムとして小消しゴム体１１Ａと一体に形成してもよい。このように形成することで、製造工程が簡易になるとともに、消しゴムリング１０単体でも消しゴムとして使用することができる。この場合、全体に弾力があるので、一つの小消しゴム体１１Ａを突出するように変形させることで、任意の小消しゴム体の角部を使用することができる。なお、全体を消しゴムで形成するので強度を維持するために、図４（ｂ）に示すように隣接する小消しゴム１１Ａ同士の間は、アールを形成するように連結することがのぞましい。この場合、小消しゴム体１１は直方体形状ではなくなるが、先端側に直方体の一面に形成される４つの角部が存するので、使用に際しては問題はない。
また、全体を消しゴムにより形成すると懸架体１２Ａが破損することが考えられるので、図５に示す消しゴムリング１０Ｂのように、懸架体１２Ａの内側に補強のためのゴムや合成樹脂性の補強ベルト１３を固定するようにしてもよい。
【図面の簡単な説明】
【００１１】
【図１】（ａ）は実施形態１に係る消しゴムを示す斜視図であり、（ｂ）は当該消しゴムの機構部分を示す斜視図である。
【図２】実施形態１に係る消しゴムの枠体ケースを開いた状態を示す正面図である。
【図３】実施形態２に係る消しゴムを示す斜視図である。
【図４】（ａ）は消しゴムリングの変形例を示す斜視図であり、（ｂ）は当該消しゴムリングの一部拡大正面図である。
【図５】消しゴムリングの他の変形例を示す一部拡大正面図である。
【符号の説明】
【００１２】
Ｘ、Ｙ  消しゴム
１０、１０Ａ、１０Ｂ  消しゴムリング
１１    小消しゴム体
１２    ゴムリング
２１〜２４  プーリー
３１、３２  伝導歯車
４０    枠体ケース
５０    枠体
【図１】
2010083100.tif 000003
【図２】
2010083100.tif 000004
【図３】
2010083100.tif 000005
【図４】
2010083100.tif 000006
【図５】
2010083100.tif 000007